(57)【要約】【課題】  基板への着脱が容易で、電気端子に無理な負荷が加わりにくい光トランシーバを提供する。【解決手段】  光部品及び電気部品を直方体状の筐体２に収容すると共にその筐体２の底部に電気端子を露出させ、この筐体２を基板４に載せる際にその基板４に設けられた電気端子に上記筐体２の電気端子を差し込むことで筐体２を基板４に保持するようにした光トランシーバにおいて、上記筐体２の両側部２ａ，２ｂに、この側部２ａ，２ｂに向けて加えられた力を前記電気端子が抜ける方向に向けるための傾斜を有した指当て部６ａ，６ｂを形成した。指で掴んだ力が電気端子が抜ける方向に働く。【選択図】  図１
2005244766.tif 000002
【特許請求の範囲】
【請求項１】
光部品及び電気部品を直方体状の筐体に収容すると共にその筐体の底部に電気端子を露出させ、この筐体を基板に載せる際にその基板に設けられた電気端子に上記筐体の電気端子を差し込むことで筐体を基板に保持するようにした光トランシーバにおいて、上記筐体の両側部又は片側部に、この側部に向けて加えられた力を前記電気端子が抜ける方向に向けるための傾斜を有した指当て部を形成したことを特徴とする光トランシーバ。
【請求項２】
上記指当て部は、上記筐体の内側へ窪んだ溝であることを特徴とする請求項１記載の光トランシーバ。
【請求項３】
上記両指当て部を結ぶ線の近傍に前記電気端子が位置することを特徴とする請求項１又は２記載の光トランシーバ。
【発明の詳細な説明】
【技術分野】
【０００１】
本発明は、基板に装着して使用される光トランシーバに係り、基板への着脱が容易で、電気端子に無理な負荷が加わりにくい光トランシーバに関する。
【背景技術】
【０００２】
電気信号と光信号との変換器である光トランシーバは、光伝送装置に組み込まれる。その際、光伝送装置には基板が収容され、その基板に光トランシーバを装着することになる。
【０００３】
図５に示されるように、光トランシーバ５１は、光部品及び電気部品を直方体状の筐体５２に収容すると共にその筐体５２の底部に電気端子（オス）を露出させたコネクタ部５３を設け、この筐体５２を基板５４に載せる際には、その基板５４に設けられたコネクタ部５５の電気端子（メス）に上記筐体５２の電気端子を差し込むことで筐体５２を基板５４に保持するようになっている。
【０００４】
【特許文献１】特開平７−２４４２３０号公報
【発明の開示】
【発明が解決しようとする課題】
【０００５】
図５のように、光トランシーバ５１は直方体状の筐体５２を有し、この筐体５２が基板５４に装着されており、その保持力はコネクタ部５３，５５のオスメスの電気端子が担っている。この光トランシーバ５１を修理、仕様変更などの理由で基板から取り外すとき、指で筐体５２を側部から掴むようにして行うが、筐体５２の側部は基板５４に対して垂直かつ滑らかな平面であるため、掴みにくい。なお、筐体５２の高さ（基板５４からの高さ）は人の指の幅に比べて小さいので、基板５４から取り外す方向への力は筐体５２に加えにくい。また、基板５４と筐体５２との間に隙間がないため、爪などを差し込むこともできない。つまり、この光トランシーバ５１は基板５４からの取り外しが容易でない。
【０００６】
また、光トランシーバ５１を基板５４から取り外そうと力を入れているときに、その力が基板５４に対して垂直でない方向に入ると、電気端子に無理な力が加わり、電気端子が変形したり損傷して再使用が困難になってしまうことがある。
【０００７】
そこで、本発明の目的は、上記課題を解決し、基板への着脱が容易で、電気端子に無理な負荷が加わりにくい光トランシーバを提供することにある。
【課題を解決するための手段】
【０００８】
上記目的を達成するために本発明は、光部品及び電気部品を直方体状の筐体に収容すると共にその筐体の底部に電気端子を露出させ、この筐体を基板に載せる際にその基板に設けられた電気端子に上記筐体の電気端子を差し込むことで筐体を基板に保持するようにした光トランシーバにおいて、上記筐体の両側部又は片側部に、この側部に向けて加えられた力を前記電気端子が抜ける方向に向けるための傾斜を有した指当て部を形成したものである。
【０００９】
上記指当て部は、上記筐体の内側へ窪んだ溝であってもよい。
【００１０】
上記両指当て部を結ぶ線の近傍に前記電気端子が位置してもよい。
【発明の効果】
【００１１】
本発明は次の如き優れた効果を発揮する。
【００１２】
（１）基板への着脱が容易となる。
【００１３】
（２）電気端子に無理な負荷が加わりにくい。
【発明を実施するための最良の形態】
【００１４】
以下、本発明の一実施形態を添付図面に基づいて詳述する。
【００１５】
図１に示されるように、本発明に係る光トランシーバ１は、光部品及び電気部品（いずれも図示せず）を直方体状の筐体２に収容すると共にその筐体２の底部に電気端子（オス）を露出させたコネクタ部３を設け、この筐体２を基板４に載せる際には、その基板４に設けられたコネクタ部５の電気端子（メス）に上記筐体２の電気端子を差し込むことで筐体２を基板４に保持するようになっており、さらに、上記筐体２の両側部２ａ，２ｂ又はいずれかの側部２ａ，２ｂに、この側部２ａ，２ｂに向けて加えられた力を前記電気端子が抜ける方向に向けるための傾斜を有した指当て部６ａ，６ｂを形成したものである。なお、コネクタ部３，５の電気端子のどちらをオスとするかメスとするかは任意である。
【００１６】
図２に示されるように、指当て部６ａ（指当て部６ｂもこれと同様）は、筐体２の内側へ窪んだ溝７として形成されている。そして、この溝７は、筐体２の底部に対して斜めに臨んだ傾斜面８を有する。筐体２が図１のように基板４に載せられているときには、傾斜面８が基板４に対して斜めに臨み、この溝７と基板４とで囲まれた窪みが形成されることになる。
【００１７】
この光トランシーバを基板から取り外すために、指で筐体２を側部２ａから掴むようにするとき、指当て部６ａに指先を差し込むのは容易である。その指先の力は、基板４と平行で側部に向かう力Ｆ１である。指先が傾斜面８に当たるため、傾斜面８は傾斜面８に直交する方向に力Ｆ２を受けることになる。この力Ｆ２は基板４と平行なｘ方向の成分と、基板４に直交するｙ方向の成分からなる。このうちｘ方向の成分は図示しない指当て部６ｂで得られた−ｘ方向の成分と相殺される。一方、ｙ方向の成分は、指当て部６ｂで得られたｙ方向の成分と一緒になって、筐体２に作用する。このｙ方向の力は、図１のコネクタ部３，５のオスメスの電気端子が抜ける方向に向いている。
【００１８】
このように、指当て部６ａ，６ｂがあることで、筐体２を掴もうとする指の力が筐体２を基板４から離す力に変換されるので、取り外しが容易になる。
【００１９】
図１の光トランシーバ１の他の特徴として、両指当て部６ａ，６ｂを結ぶ線（仮想線Ｌ）近傍にコネクタ部３，５の電気端子が位置している。コネクタ部３，５において、それぞれ複数の電気端子が一列に並んでいるとしたら、その列が仮想線Ｌに位置する。複数の電気端子が複数列に並んでいるとしたら、列の中央が仮想線Ｌに位置する。これにより、前述した指の力は、確実に電気端子が抜ける方向に働く。
【００２０】
次に、電気端子の具体的構造として３００ｐｉｎ電気コネクタについて説明する。
【００２１】
３００ｐｉｎ電気コネクタでは、図３（ａ）に示されるように、メス端子３１は、バネ性を有する導体板３２の一部を屈曲させ、このような導体板３２を２枚組み合わせ、それぞれの導体板３２の屈曲部分の山が向かい合わせになるように、かつ僅かの隙間を開けてこれら導体板３２配置したものである。
【００２２】
一方、図３（ｂ）に示されるように、オス端子３３は平坦な１枚の導体板で構成される。メス端子３１の導体板３２間にオス端子３３を差し込むと、導体板３２のバネの力によってオス端子３３が保持される。この保持構造から分かるように、オス端子３３は必ずしもｙ方向（メス端子３１の伸びている方向）のみから挿抜されるとは限らない。
【００２３】
図３（ｃ）に示されるように、オス端子３３がｚ方向に傾斜していても、挿抜は許容される。しかし、仮にオス端子３３がｘ方向に傾斜していると、オス端子３３がメス端子３１に大きな変位を強いることになり、各端子３３，３１或いはそれらを固定しているモールド３４（オス側のモールドは図示せず）に無理な力が加わることになる。
【００２４】
この点、本発明では、既に述べたように、筐体に加わるｘ方向の力と−ｘ方向の力とが相殺され、オス端子３３がｘ方向に傾斜することがないので、各端子３３，３１に無理な負荷が加わりにくい。
【００２５】
また、図３では１接点分しか図示していないが、３００ｐｉｎ電気コネクタでは図３と同様のものが３００接点分あり、ｘ，ｚ方向に複数列にして各端子３３，３１が配列される。従って、オス端子３３がｚ方向に傾斜を許容されているとはいえども、ｚ方向に極端に傾斜するのは好ましくない。
【００２６】
この点、本発明では、既に述べたように、両指当て部６ａ，６ｂを結ぶ線Ｌの近傍にコネクタ部３，５の電気端子が位置している（図１参照）ので、筐体２が基板４に対して大きく傾くことなく持ち上げられる。よって、オス端子３３がｚ方向に極端に傾斜することはなく、各端子３３，３１に無理な負荷が加わりにくい。
【００２７】
次に、本発明の他の実施の形態を説明する。
【００２８】
図２では、指当て部６ａを筐体２の内側へ窪んだ溝７として形成したが、筐体２の外側へ隆起した突起として形成しても、指で挟む力をｙ方向に向けることは可能である。ただし、突起を設けることは、光トランシーバ１が基板４上で占める面積が大きくなることに繋がるので、溝７を設けるほうが実装スペース効率が良い。
【００２９】
図４に示されるように、筐体２の底部２ｃには、筐体２内に収容した回路基板（図示せず）を筐体２にネジ止めするためのネジ穴４１が設けられる。ネジ穴４１の周囲にはネジ頭（図示せず）を底部２ｃから出さないためのザグリ４２が設けられる。そこで、指当て部となる溝７をザグリ４２に隣接して設けることで、実質上、溝７の間口を大きくすることができる。これにより、指が太い人でも傾斜面８に指を届かせやすくなる。
【図面の簡単な説明】
【００３０】
【図１】本発明の一実施形態を示す光トランシーバの斜視図である。
【図２】図１の光トランシーバの要部拡大図である。
【図３】（ａ）はメス端子の斜視図、（ｂ），（ｃ）は、いずれもオス端子とメス端子の斜視図である。
【図４】本発明の一実施形態を示す光トランシーバの底面側斜視図である。
【図５】背景技術の光トランシーバの斜視図である。
【符号の説明】
【００３１】
１  光トランシーバ
２  筐体
２ａ，２ｂ  側部
４  基板
６ａ，６ｂ  指当て部
【図１】
2005244766.tif 000003
【図２】
2005244766.tif 000004
【図３】
2005244766.tif 000005
【図４】
2005244766.tif 000006
【図５】
2005244766.tif 000007